(57)【特許請求の範囲】
【請求項１】
複数の軽失禁製品がまとめて包装された包装体であって、
複数の軽失禁製品を包装する六面体形状の包装体本体を備え、
前記包装体本体が、露出している第１の表面と、前記第１の表面の反対側の第２の表面と、前記六面体形状を構成する六面のうちの一の面が開封可能な開封部と、を有し、
前記第１の表面は、前記商品に関する情報を記述した商品情報が表示される商品情報表示部を有し、
前記第２の表面は、前記商品情報と無関係なデザインが表示されるデザイン表示部を有し、
前記第２の表面が、前記包装体本体を開封した状態で前記包装体本体を裏返すと、露出され、
前記包装体本体が、透明フィルムと、
前記デザインを前記透明フィルムに印刷する第１印刷層と、
前記第１印刷層上にベース色を印刷する第２印刷層と、
前記第２印刷層上に前記商品情報を印刷する第３印刷層と、を有することを特徴とする包装体。
【請求項２】
前記開封部が開封用のミシン目であることを特徴とする請求項１に記載の包装体。
【請求項３】
前記複数の軽失禁製品が使い捨ての吸収性物品であることを特徴とする請求項１又は２に記載の包装体。
【発明の詳細な説明】
【技術分野】
【０００１】
本発明は、包装体に関し、特に商品購入後隠蔽できる機能を有する包装体に関する。
【背景技術】
【０００２】
一般に、使い捨ておむつ、尿パッド、生理用ナプキン、軽失禁パッド等をはじめとする衛生用品は、フィルム等で構成された包装袋に収容された包装体の形で市販されている（例えば、特許文献１及び２参照）。
【０００３】
吸収性物品のパッケージは、需要者がパッケージの表面に表示された物品の主たる機能情報を一瞥して直感的に認識することができるとともに、需要者にその主たる機能情報を的確に伝達することが必要である。（例えば、特許文献３参照）。
【０００４】
軽失禁製品や生理用ナプキン等を消費者が購入するときは、あまり人目に触れられたくないものである。特に軽失禁製品の場合は自分がその症状であることを知られたくないためである。生理用ナプキンでさえも販売店で購入するときに、中身が見えないレジ袋に別に入れて販売されている。
【０００５】
また、購入した製品を持ち運び、使用又は保管する場合でも、包装体本体（パッケージ）を開封したまま、都度取りだすのも、できたら周りの人にも知られたくないと思うものである。
【０００６】
さらに、使い終わった包装体本体を半透明のごみ袋に入れて廃棄する場合でも、パッケージデザイン・表記は隠蔽性を保ち難く、廃棄時の不快感が生じたりすることがある。
【先行技術文献】
【特許文献】
【０００７】
【特許文献１】特開平１１−９１７９７号公報
【特許文献２】特開２００６−１４３２８１号公報
【特許文献３】特開２００９−２９１２５４号公報
【発明の概要】
【発明が解決しようとする課題】
【０００８】
しかしながら、特許文献２では、使用者の気持ちを考慮して、個別包装体に工夫をして他人に中身を認識できないような包装にしたが、購入後公衆場所で吸収性物品の包装体を持ち運びし難くなったり、保管や廃棄する時の不快感が生じたりすることがある。特許文献３では、需要者にパッケージを一瞥して商品情報を直感的かつ的確に伝達できるパッケージを提供することができるが、購入後の使用や廃棄時の隠蔽性を一切考慮していない。
【課題を解決するための手段】
【０００９】
そこで、本発明はこのような課題に鑑みてなされたものであり、その目的は商品を購入する際に、従来の商品名、入数、グレード、特長などの商品情報を直感的かつ的確に需要者に伝達することが可能、かつ、購入後使用又は廃棄する場合に人の目を避けなく隠蔽性と両立することができる包装体を提供することである。
【００１０】
上記課題を解決するために、本発明は、以下の構成によって把握される。
（１）本発明の包装体は、複数の商品がまとめて包装された包装体であって、複数の商品を包装する六面体形状の包装体本体を備え、包装体本体が、露出している第１の表面と、第１の表面の反対側の第２の表面と、六面体形状を構成する六面のうちの一の面が開封可能な開封部と、を有し、第１の表面は、商品に関する情報を記述した商品情報が表示される商品情報表示部を有し、第２の表面は、商品情報と無関係なデザインが表示されるデザイン表示部を有し、第２の表面が、一の面を取り外した状態で包装体本体を裏返すと、露出されることを特徴とする。
【００１１】
（２）本発明の包装体は、上記（１）の構成において、包装体本体が、透明フィルムと、デザインを透明フィルムに印刷する第１印刷層と、第１印刷層上にベース色を印刷する第２印刷層と、第２印刷層上に商品情報を印刷する第３印刷層と、を有することを特徴とする。
【００１２】
（３）本発明の包装体は、上記（１）の構成において、包装体本体が、乳白フィルムと、デザインを乳白フィルムの一方の面に印刷する第４印刷層と、商品情報を乳白フィルムの他方の面に印刷する第５印刷層と、を有することを特徴とする。
【００１３】
（４）本発明の包装体は、上記（１）ないし（３）のいずれかの構成において、開封部が開封用のミシン目であることを特徴とする。
【００１４】
（５）本発明の包装体は、上記（１）ないし（４）のいずれかの構成において、複数の商品が使い捨ての吸収性物品であることを特徴とする。
【発明の効果】
【００１５】
本発明によれば、商品を購入する際に、従来の商品名、入数、グレード、特長などの商品情報を直感的かつ的確に需要者に伝達することが可能、かつ、購入後使用又は廃棄する場合に人の目を避けなく隠蔽性と両立することができる包装体を提供することができる。
【図面の簡単な説明】
【００１６】
【図１】本発明に係る包装体の一例の概略構成図であり、図１ａは本発明に係る包装体の店頭販売時の斜視図である、図１ｂは開封部である開封用のミシン目に沿って包装体本体を開封し、第２の表面が露出されている包装体の斜視図である（包装体に収容された商品を省略）。
【図２】図１の包装体の第１の表面と第２の表面と裏返して、商品を保管、廃棄時の包装体の斜視図である。
【図３】第１の実施形態に係る包装体のフィルムの層構成を示した断面図である。
【図４】第２の実施形態に係る包装体のフィルムの層構成を示した断面図である。
【発明を実施するための形態】
【００１７】
以下、添付図面を参照して、本発明を実施するための形態（以下、「実施形態」と称する）について詳細に説明する。実施形態の説明の全体を通して同じ要素には同じ番号を付している。
【００１８】
図１ａは、包装体１を店頭で販売する際の第１の表面を示す斜視図であり、図１ｂは、図１ａに示した包装体１の開封部４である開封用のミシン目に沿って開封し、第２の表面が露出されている状態を示す斜視図である（包装体に収容された商品を省略）。
【００１９】
図１に示すように、複数の商品３（図示しない）がまとめて包装された包装体１は、内部に収容された商品３と、第１の表面が露出する六面体形状の包装体本体２とを有する。包装体本体２が、前記六面体形状を構成する六面のうちの一の面が開封可能な開封部４を有する。前記一の面を取り外した後、包装体本体２の第２の表面が露出される。第１の表面には、商品３に関する情報を記述した商品情報が表示される商品情報表示部１００を有する。第２の表面には、商品情報表示部１００に表示される商品情報と無関係なデザインが表示されるデザイン表示部２００を有する。
【００２０】
図２は、包装体本体２を開封した後、包装体１の第１の表面と第２の表面を裏返しした状態を示す斜視図である（包装体に収容された商品を省略）、即ち、商品３を保管、廃棄時の包装体１の斜視図である。
【００２１】
商品３は、包装体１に収容された吸収性物品である。吸収性物品の具体例としては、使い捨てオムツ、尿パッド、生理用ナプキン、軽失禁製品などを挙げることができる。なお、これらの吸収性物品は、通常、収容に適した形状、大きさに折り畳まれた状態で収容される。
【００２２】
包装体本体２の形状は六面体であり、六つの平面で囲まれた立方体又は直方体であればよい。包装体本体２の大きさを限定せず、需要によって一定数の商品を収容することができればよい。
【００２３】
包装体１に収容された商品３を取り出すために、包装体本体２にあらかじめ、開封部４を設け、開封部４が開封用のミシン目である。当該開封用のミシン目の形状が略四角環状であり、包装体本体２の一の面を取り外すよう、一つの面の周縁に設けている、又は、図１に示すように、一の面に隣接している四つの面に亘って設けてもよい。本発明において、開封部４が開封用のミシン目であるが、これに限らず、カットテープなどの公知な破断補助手段でもよい。
【００２４】
図３は、第１の実施形態に係る包装体１の包装体本体２のフィルムの層構成の一例を示した断面図である、包装体本体２が透明フィルム２０と、透明フィルム２０にデザインを印刷される第１印刷層２１と、第１印刷層２１の上にベース色を印刷される第２印刷層２２と、第２印刷層２２の上に商品情報を印刷される第３印刷層２３と有する。
【００２５】
透明フィルム２０の構成材料としては、通常、樹脂フィルムが用いられる。樹脂フィルムは包装材料に利用される物のなかから適宜選択すればよく、例えば、ポリエチレンフィルム、ポリプロピレンフィルムの他、これらのフィルムとポリエステルフィルムとの積層フィルム等を好適に用いることができる。なかでも、延伸性や強度に優れるポリエチレンフィルムが好ましい。樹脂フィルムの厚さは、収容物となる吸収性物品の種類や重量により異なるが、３０μｍ以上６０μｍ以下とすることが好ましく、４０μｍ以上５０μｍ以下とすることが更に好ましい。
【００２６】
第１印刷層２１に印刷されたデザインは、商品情報と無関係なデザインである。このデザインは美粧性を有し、具体の例としては、季節の植物や動物などのイラストレーション、漫画、風景写真が印刷されているものなどを挙げることができる。第１印刷層２１は、図１に示す包装体本体２の第２の表面のデザイン表示部２００であり、第３印刷層２３は、図１に示す包装体本体２の第１の表面の商品情報表示部１００である。商品に関する情報を消費者に的確に伝達できるように、商品情報を六面体の少なくとも１つの面に印刷する、商品情報以外のところにデザインを印刷することができる、前記デザインは、第２の表面のデザインと一致してもよいし、異なってもよい。
【００２７】
第１印刷層２１の上に印刷された第２印刷層２２のベース色は、白、乳白など隠蔽性の高い色が好ましい。具体的には、酸化チタン層を印刷することが好ましい。酸化チタン層は少なくとも、酸化チタン、バインダー樹脂、溶剤からなる塗布液をコーター機でより塗布し形成することができる。
【００２８】
バインダー樹脂としては、本発明の目的を妨げない範囲で、ニトロセルロースなどのセルロース誘導体、アルキッド樹脂、ポリビニルブチラ―ル、スチレン−ブタジエン共重合体、ポリエステル樹脂、エチレン−酢酸ビニル樹脂、アクリル樹脂、ポリアミド樹脂などが挙げられる。
【００２９】
第２印刷層２２により、第１印刷層２１のデザインと第３印刷層２３の商品情報が互いに影響なく綺麗に印刷することができる。また、第１の表面と第２の表面を裏返されるとき、第１の表面の商品情報を隠蔽することができる。
【００３０】
第２印刷層２２の上に印刷された第３印刷層２３の商品情報は、包装体本体２に収容される商品３の商品名、入数、グレープ、使い方、注意事項、特徴などの商品情報などであり、カラフルな色彩、文字、イラストレーション・写真などの表現手段を用いて、目を引くように印刷されている。
【００３１】
図４は、第２の実施形態に係る包装体本体２のフィルムの層構成を示した断面図である、前記包装体本体２が乳白フィルム３０と、乳白フィルム３０の一方の面にデザインを印刷された第４印刷層３１と、乳白フィルム３０の他方の面に商品情報を印刷された第５印刷層３２と有する。第４印刷層３１は、図１に示す包装体本体２の第２の表面のデザイン表示部２００であり、第５印刷層３２は、図１に示す包装体本体２の第１の表面の商品情報表示部１００である。
【００３２】
乳白フィルム３０は白色ポリエチレンフィルムであり、低密度ポリエチレン樹脂の中に、隠蔽性を付与することにより形成され、例えば、酸化チタン、アルミナ、マイカ、酸化鉛（鉛白）、酸化亜鉛、炭酸カルシウム、炭酸バリウム、硫酸バリウム、チタン酸カリウム、タルク、水酸化マグネシウム、天然珪酸、合成珪酸（ホワイトカーボン）などの無機酸化物、または有機系顔料を、練り込むことにより可能であるが、中でも練り込み分散性、隠蔽性の点から酸化チタンが好ましい。酸化チタンが練り込まれた低密度ポリエチレン樹脂をＴダイ押出し法やインフレーション法などの成形法を用いて成形し、乳白ポリエチレンフィルムを形成することができる。乳白ポリエチレンフィルムの膜厚としては、３０μｍ以上６０μｍ以下とすることが好ましく、４０μｍ以上５０μｍ以下とすることが更に好ましい。特に本発明の目的から、酸化チタンを０．２以上２０以下重量％の範囲で含有して、上記膜厚の範囲で製膜した乳白ポリエチレンフィルムが好ましい。隠蔽性と製膜性から好ましい酸化チタンは、ルチル型、アナタ―ゼ型およびそれらの第１の表面をアルミニウム（Ａｌ）、シリカ（Ｓｉ）などの金属酸化物で処理した酸化チタンなどが使用できる。また、その平均粒径は特に限定されず、本発明の目的を妨げない範囲において使用できるものが挙げられる。
【００３３】
包装体本体２が隠蔽性を有する乳白フィルムを使用することより、ベース印刷が不要となる。第１の表面と第２の表面を裏返すと、第１の表面に印刷された商品情報を隠蔽することができ、かつ、第２の表面に商品情報と無関係のデザインも綺麗に印刷することができる。
【００３４】
第１実施形態の第３印刷層２３の商品情報及び第２実施形態の第５印刷層３２の商品情報とは同様である。前記第１の表面に印刷された商品情報及び第２の表面に印刷されたデザインは、周知の多様な着色技術にしたがって施すことができる。着色は、印刷、コーティング、及び含浸が挙げられるが、これらに限定されない。印刷方法は、例えば、凸版印刷、フレキソ印刷、グラビア印刷、オフセット印刷、スクリーン及びインクジェットが挙げられるが、これらに限定されない。
【００３５】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００３６】
１        包装体
２        包装体本体
３        商品
４        開封部
２０      透明フィルム
３０      乳白フィルム
２００    デザイン表示部
１００    商品情報表示部
２１      第１印刷層
２２      第２印刷層
２３      第３印刷層
３１      第４印刷層
３２      第５印刷層
【図１】
0006362214.tif 000002
【図２】
0006362214.tif 000003
【図３】
0006362214.tif 000004
【図４】
0006362214.tif 000005